(57)【要約】【課題】剥離紙を剥離してテープ本体を身体に貼付する際に、貼付の手順がわかり易く且つ簡便に行うことのできる生体用粘着テープを提供すること。【解決手段】身体の特定部位に貼付することにより身体機能の改善を図る生体用粘着テープであって、一面に粘着剤１１が塗布されたテープ本体１０と、粘着剤１１塗布面に設けられた剥離紙１２とを有し、剥離紙１２は、テープ本体１０を身体に貼付する際の手順に応じて複数の切線１４により各々独立して剥離可能に区分されており、区分された各剥離紙１２には、テープ本体１０を身体に貼付する際の手順を示す表示１５が設けられていることを特徴とする生体用粘着テープ。【選択図】          図１
2004248842.tif 000002
【特許請求の範囲】
【請求項１】
身体の特定部位に貼付することにより身体機能の改善を図る生体用粘着テープであって、一面に粘着剤が塗布されたテープ本体と、粘着剤塗布面に設けられた剥離紙とを有し、剥離紙は、テープ本体を身体に貼付する際の手順に応じて複数の切線により各々独立して剥離可能に区分されており、区分された各剥離紙には、テープ本体を身体に貼付する際の手順を示す表示が設けられていることを特徴とする生体用粘着テープ。
【請求項２】
表示は、テープ本体を身体に貼付する際の剥離の順番を示す記号及び／又はテープ本体を身体に貼付する方法を示す説明書きであることを特徴とする請求項１記載の生体用粘着テープ。
【発明の詳細な説明】
【０００１】
【発明の属する技術分野】
本発明は、身体の特定部位に貼付することにより身体機能の改善を図る生体用粘着テープに関し、詳しくは、剥離紙を剥離してテープ本体を身体に貼付する際に、貼付の手順がわかり易く且つ簡便に行うことのできる生体用粘着テープに関する。
【０００２】
【従来の技術】
従来、身体の特定部位に粘着テープを貼付することで、各部の筋肉疲労や肩こり、腰痛等の治療・軽減を図る身体機能の改善方法が知られている。
【０００３】
これに用いられる粘着テープは、テープ本体の一面に粘着剤層を介して剥離紙が設けられており、この剥離紙を剥がした後、例えば腰痛の治療・軽減を目的とする場合であれば、テープ本体を所定の手順に従って腰部に貼付する。
【０００４】
しかし、テープ本体を貼付する手順はテープ本体の適用部位によって様々であり、また、テープ本体のどの部分を、身体のどの部分に、どのような手順で貼付すればよいのかわかりづらい場合が多く、更に、貼付作業は剥離紙が剥離されて粘着剤が露出したままでの作業となるため、貼付作業の途中で粘着剤同士がくっついてしまう等の理由により、貼付作業が煩雑となる問題があった。
【０００５】
【発明が解決しようとする課題】
本発明は、かかる従来事情に鑑みなされたもので、剥離紙を剥離してテープ本体を身体に貼付する際に、貼付の手順がわかり易く且つ簡便に行うことのできる生体用粘着テープを提供することを課題とする。
【０００６】
【課題を解決するための手段】
上記課題は、以下の各発明によって解決される。
【０００７】
すなわち、請求項１記載の発明は、身体の特定部位に貼付することにより身体機能の改善を図る生体用粘着テープであって、一面に粘着剤が塗布されたテープ本体と、粘着剤塗布面に設けられた剥離紙とを有し、剥離紙は、テープ本体を身体に貼付する際の手順に応じて複数の切線により各々独立して剥離可能に区分されており、区分された各剥離紙には、テープ本体を身体に貼付する際の手順を示す表示が設けられていることを特徴とする生体用粘着テープである。
【０００８】
また、請求項２記載の発明は、表示は、テープ本体を身体に貼付する際の剥離の順番を示す記号及び／又はテープ本体を身体に貼付する方法を示す説明書きであることを特徴とする請求項１記載の生体用粘着テープである。
【０００９】
【発明の実施の形態】
以下、本発明の実施の形態について図面を用いて説明する。
【００１０】
図１（Ａ）は、第１の実施形態に係る生体用粘着テープを剥離紙が設けられた裏面側から見た状態を示す平面図、図１（Ｂ）はその側面図であり、主として足裏部に貼付することにより足部の疲労を軽減するための足裏用テープの一例を示している。
【００１１】
足裏用テープ１は、テープ本体１０の裏面に粘着剤層１１を介して剥離紙１２が設けられている。
【００１２】
テープ本体１０は、適度の伸縮性及び皮膚に馴染む適度の柔軟性を有する布状体やフィルム等を用いて、図中左端から足裏部へ貼付する順に、第１貼付部１０１と、この第１貼付部１０１に連続する第２貼付部１０２と、この第２貼付部１０２に連続する第３貼付部１０３とを有して形成され、第２貼付部１０２の中途部から第３貼付部１０３の端部にかけて、外側に向けてやや拡開状に形成されている。
【００１３】
粘着剤層１１は、テープ本体１０の裏面全面に形成されている。粘着剤層１１に用いられる粘着剤には、ゴム系、アクリル系、シリコン系等の適宜の粘着剤を使用することができるが、皮膚に対する粘着性に優れ、また、かぶれを生じないものを使用することが好ましい。
【００１４】
剥離紙１２は、粘着剤層１１を介してテープ本体１０の裏面全面に貼着されている。そして、足裏用テープ１には、この剥離紙１２が貼着された状態で、テープ本体１０、粘着剤層１１及び剥離紙１２とに亘って、第３貼付部１０３の端部から第２貼付部１０２の中途部にまで至る２本の平行な直線状の切込み１３、１３が設けられている。これにより足裏用テープ１は、その第３貼付部１０３側が３つの貼付片１０３ａ、１０３ｂ、１０３ｃに分かれている。
【００１５】
また、剥離紙１２には、第１貼付部１０１、第２貼付部１０２、第３貼付部１０３の各貼付部の境界に沿って切線１４、１４が設けられており、テープ本体１０の第１貼付部１０１、第２貼付部１０２及び第３貼付部１０３の各貼付部において各々独立した剥離紙１２ａ、１２ｂ、１２ｃ、１２ｄ、１２ｅとして剥離可能に区分されている。これら切線１４、１４は、剥離紙１２のみを分断するものであり、テープ本体１０を分断しない。
【００１６】
本発明において、この区分された各剥離紙１２ａ、１２ｂ、１２ｃ、１２ｄ、１２ｅの表面（粘着剤層１１と接しない側の面）には、テープ本体１０を身体に貼付する際の手順を示す表示１５が設けられている。
【００１７】
表示１５は、ここではテープ本体１０を身体に貼付する際に剥離紙１２を剥離する順番を示す数字「▲１▼」「▲２▼」・・・がそれぞれに順次記載されているが、この表示１５は、数字以外にも、例えば「Ａ」「Ｂ」「Ｃ」・・・、「あ」「い」「う」・・・等といった文字や、「Ｉ」、「ＩＩ」、「ＩＩＩ」・・・等といった具合に、テープ本体１０を身体に貼付する際の順番を使用者に容易に認識させ得る記号であれば任意である。
【００１８】
なお、図１（Ａ）に示す足裏用テープ１の寸法の一例について示すと、ａ：７５ｍｍ、ｂ：３０ｍｍ、ｃ：４０ｍｍ、ｄ：５０ｍｍ、ｅ：３５ｍｍ、ｆ：２５ｍｍ、ｇ：７０ｍｍである。
【００１９】
次に、この足裏用テープ１の貼付方法について図２を参照しつつ説明する。
【００２０】
まず、１番目に剥離することを示す表示「▲１▼」が記載されている剥離紙１２ａを剥離し、テープ本体１０の第１貼付部１０１の粘着剤層１１を露出させ、足の甲の外側に貼る（図２（Ａ））。この剥離紙１２ａを剥離しても、切線１４によって区分されているため、他の剥離紙１２ｂ〜１２ｅは剥離されず、この第１貼付部１０１の貼付作業の際に、テープ本体１０の他の部位が手や衣服等にくっついて貼付作業の支障となるようなことはなく、他の剥離紙１２ｂ〜１２ｅが設けられている部位をつかんで貼付作業できるため、作業性にも優れる。また、剥離紙１２ａが剥離された以外の粘着剤層１１は露出しないため、他の部位の粘着剤層とくっついたり、他の部位の粘着剤層が手や衣服にくっついたりすることにより貼付作業に支障をきたすようなことない。
【００２１】
次に、２番目に剥離することを示す表示「▲２▼」が記載されている剥離紙１２ｂを剥離し、テープ本体１０の第２貼付部１０２の粘着剤層１１を露出させる。このとき、切線１４によって剥離紙１２ｂのみが剥離され、テープ本体１０の第３貼付部１０３に対応する各剥離紙１２ｃ〜１２ｅは剥離されない。そして、剥離紙１２ｃ〜１２ｅが設けられたままの第３貼付部１０３をつかんで引っ張ることで、第２貼付部１０２を伸張させながら、足の甲の外側から足裏の土踏まずにかけて貼付する。
【００２２】
更に、３番目に剥離することを示す表示「▲３▼」が記載されている剥離紙１２ｃ、１２ｄを剥離し、テープ本体１０の第３貼付部１０３のうちの貼付片１０３ａ、１０３ｂの粘着剤層１１をそれぞれ露出させ、それらを引っ張りながら、それぞれ内側へ寄せて足裏に貼付する。
【００２３】
最後に、４番目に剥離することを示す表示「▲４▼」が記載されている剥離紙１２ｅを剥離し、テープ本体１０の第３貼付部１０３のうちの残りの貼付片１０３ｃの粘着剤層１１を露出させ、それを引っ張りながら真っ直ぐに足裏に貼付する。このとき先に貼付された貼付片１０３ａ、１０３ｂに多少重なるように貼付される（図２（Ｂ））。
【００２４】
この生体用粘着テープは、適度の伸縮性を有するテープ本体１０を部分的に伸張させながら適用部位に貼付していくため、その伸張部位が元に戻ろうとする作用によって貼付部位の筋肉に適度の緊張又は弛緩作用を与えることにより、その疲労を解消することができる。
【００２５】
また、剥離紙１２がテープ本体１０を身体に貼付する際の手順に応じて複数の切線１４、１４により各々独立して剥離可能に区分されており、その区分された各剥離紙１２ａ、１２ｂ、１２ｃ、１２ｄ、１２ｅには、テープ本体１０を身体に貼付する際の手順を示す表示１５が設けられているため、テープ本体１０を貼付する手順に従って、必要部位のみの剥離紙１２を剥離することができ、貼付の手順がわかり易く、しかも、不用意に粘着剤同士がくっついてしまうおそれがなく、誰でも貼付作業を簡便に行うことができるようになる。
【００２６】
また、上記のようにテープ本体１０を伸張させながら貼付する場合、剥離紙１２が設けられている部位は剥離紙１２によって伸張が阻止されるため、貼付時に伸張させたい部位以外の部位まで伸張してしまう不具合はない。
【００２７】
剥離紙１２の表面に設けられる表示１５は、以上説明したようなテープ本体１０を身体に貼付する方法を具体的に示す図や文字からなる説明書きであってもよく、数字等の順番を示す記号に代えて又はこの記号と共に記載することができる。このように、表示１５として具体的な貼付方法を示す説明書きを記載することで、別途使用説明書を用意してそれを見ながら上記のように貼付作業を行う手間を省くことができる。しかも、各剥離紙１２ａ、１２ｂ、１２ｃ、１２ｄ、１２ｅ毎にそれぞれ対応する貼付部の貼付方法の説明書きを記載すれば、貼付方法の手順を一層わかり易く表示することができる。
【００２８】
表示１５として順番を示す記号を記載した場合は、この説明書きは各剥離紙１２ａ、１２ｂ、１２ｃ、１２ｄ、１２ｅの裏面（粘着剤層１１と接する面）に記載するようにしてもよい。
【００２９】
以上の説明は、生体用粘着テープを足裏部に貼付する足裏用テープ１とした例であるが、本発明に係る生体用粘着テープは足裏部に限らず、身体の様々な部位に適用することができ、その形態も図１に示した形態に限らず、適用部位に応じて様々な形態を採ることができる。
【００３０】
そこで、以下にその他の適用部位に応じた生体用粘着テープの実施形態について説明するが、以下の各実施形態に示す生体用粘着テープは、上記第１の実施形態に示す足裏用テープ１と基本構造は同一であり、適用部位の相違に基づく形状及び貼付方法が異なるだけであるため、その相違する形状及び貼付方法のみについて説明する。
【００３１】
図３（Ａ）は、第２の実施形態に係る生体用粘着テープを剥離紙が設けられた裏面側から見た状態を示す平面図、図３（Ｂ）はその側面図であり、主として首部又は肩部に貼付することにより首部又は肩部の疲労を軽減するための首・肩用テープの一例を示している。
【００３２】
首・肩用テープ２は、テープ本体２０の裏面に粘着剤層２１を介して剥離紙２２が設けられている。テープ本体２０は、図中左端から首又は肩部へ貼付する順に、第１貼付部２０１と、この第１貼付部２０１に連続する第２貼付部２０２と、この第２貼付部２０２に連続する第３貼付部２０３とを有して横長矩形状に形成されている。
【００３３】
剥離紙２２は、粘着剤層２１を介してテープ本体２０の裏面全面に貼着されている。そして、首・肩用テープ２には、この剥離紙２２が貼着された状態で、テープ本体２０、粘着剤層２１及び剥離紙２２とに亘って、第３貼付部２０３の端部から第２貼付部２０２の中途部にまで至る１つの直線状の切込み２３が設けられている。これにより、首・肩用テープ２は、その第３貼付部２０３側が２つの貼付片２０３ａ、２０３ｂに分かれている。
【００３４】
また、剥離紙２２は、第１貼付部２０１、第２貼付部２０２、第３貼付部２０３の各貼付部の境界に沿って切線２４、２４が設けられており、テープ本体２０の第１貼付部２０１、第２貼付部２０２及び第３貼付部２０３の各貼付部において各々独立した剥離紙２２ａ、２２ｂ、２２ｃ、２２ｄとして剥離可能に区分されている。これら切線２４、２４は、剥離紙２２のみを分断するものであり、テープ本体２０を分断しない。
【００３５】
そして、この区分された各剥離紙２２ａ、２２ｂ、２２ｃ、２２ｄの表面（粘着剤層２１と接しない側の面）に、テープ本体２０を身体に貼付する際の手順を示す表示２５が設けられている。この表示２５も、剥離の順番を示す「▲１▼」「▲２▼」・・・の数字からなるものを示している。
【００３６】
なお、図３（Ａ）に示す首・肩用テープ２の寸法の一例について示すと、ａ：７５ｍｍ、ｂ：５０ｍｍ、ｃ：１２０ｍｍ、ｄ：３０ｍｍ、ｅ：３７．５ｍｍ、ｆ：１００ｍｍである。
【００３７】
次に、この首・肩用テープ２の貼付方法について図４を参照しつつ説明する。
【００３８】
まず、肩部に貼付する場合、背筋を伸ばして胸を張るような姿勢を保っておき、１番目に剥離することを示す表示「▲１▼」が記載されている剥離紙２２ａのみを剥離し、テープ本体２０の第１貼付部２０１の粘着剤層２１を露出させ、肩骨部へ貼付する。
【００３９】
次に、２番目に剥離することを示す表示「▲２▼」が記載されている剥離紙２２ｂのみを剥離し、テープ本体２０の第２貼付部２０２の粘着剤層２１を露出させる。そして、剥離紙２２ｃ、２２ｄが設けられたままの第３貼付部２０３をつかんで引っ張ることで、第２貼付部２０２を伸張させながら、肩甲骨を挟み込むように２つの貼付片２０３ａ、２０３ｂを広げながら貼付する。
【００４０】
最後に、３番目に剥離することを示す表示「▲３▼」が記載されている剥離紙２２ｃ、２２ｄを剥離し、テープ本体１０の第３貼付部２０３の各貼付片２０３ａ、２０３ｂの粘着剤層２１をそれぞれ露出させ、それらを引っ張らずに身体に押し当てるようにしてそれぞれ貼付する（図４（Ａ））。
【００４１】
また、首部に貼付する場合、背筋を伸ばして胸を張り正面を向き、１番目に剥離することを示す表示「▲１▼」が記載されている剥離紙２２ａのみを剥離し、テープ本体２０の第１貼付部２０１の粘着剤層２１を露出させ、首筋中央上部へ貼付する。
【００４２】
次に、２番目に剥離することを示す表示「▲２▼」が記載されている剥離紙２２ｂのみを剥離し、テープ本体２０の第２貼付部２０２の粘着剤層２１を露出させる。そして、剥離紙２２ｃ、２２ｄが設けられたままの第３貼付部２０３をつかんで各貼付片２０３ａ、２０３ｂを両肩に向けて広げながら引っ張ることで、第２貼付部２０２を伸張させながら貼付する。
【００４３】
最後に、３番に剥離することを示す表示「▲３▼」が記載されている剥離紙２２ｃ、２２ｄを剥離し、テープ本体１０の第３貼付部２０３の各貼付片２０３ａ、２０３ｂの粘着剤層２１をそれぞれ露出させ、それらを引っ張らずに身体に押し当てるようにしてそれぞれ貼付する（図４（Ｂ））。
【００４４】
図５（Ａ）は、第３の実施形態に係る生体用粘着テープを剥離紙が設けられた裏面側から見た状態を示す平面図、図５（Ｂ）はその側面図であり、主として足首部に貼付することにより足首部の疲労を軽減するための足首用テープの一例を示している。
【００４５】
足首用テープ３は、テープ本体３０の裏面に粘着剤層３１を介して剥離紙３２が設けられている。テープ本体３０は、図中左端から足首部へ貼付する順に、第１貼付部３０１と、この第１貼付部３０１に連続する第２貼付部３０２と、この第２貼付部３０２に連続する第３貼付部３０３とを有して横長矩形状に形成されている。
【００４６】
剥離紙３２は、粘着剤層３１を介してテープ本体３０の裏面全面に貼着されている。この剥離紙３２は、第１貼付部３０１、第２貼付部３０２、第３貼付部３０３の各貼付部の境界に沿って切線３４、３４が設けられており、テープ本体３０の第１貼付部３０１、第２貼付部３０２及び第３貼付部３０３の各貼付部において各々独立した剥離紙３２ａ、３２ｂ、３２ｃとして剥離可能に区分されている。これら切線３４、３４は、剥離紙３２のみを分断するものであり、テープ本体３０を分断しない。
【００４７】
足首用テープ３の第３貼付部３０３には、剥離紙３２が貼着された状態で、テープ本体３０、粘着剤層３１及び剥離紙３２とに亘って、その端部から足首用テープ３の長さ方向に沿って第２貼付部３０２との境界の切線３４の手前まで至る１つの直線状の切込み３３が設けられている。これにより足首用テープ３は、その第３貼付部３０３の先端が２つの貼付片３０３ａ、３０３ｂに分かれている。
【００４８】
また、切線３４、３４により区分された各剥離紙３２ａ、３２ｂ、３２ｃの表面（粘着剤層３１と接しない側の面）に、テープ本体３０を身体に貼付する際の手順を示す表示３５が設けられている。この表示３５も、剥離の順番を示す「▲１▼」「▲２▼」・・・の数字からなるものを示している。
【００４９】
なお、図５（Ａ）に示す足首用テープ３の寸法の一例について示すと、ａ：７５ｍｍ、ｂ：２０ｍｍ、ｃ：２１０ｍｍ、ｄ：７０ｍｍ、ｅ：３７．５ｍｍ、ｆ：５０ｍｍである。
【００５０】
次に、この足首用テープ３の貼付方法について図６を参照しつつ説明する。
【００５１】
まず、１番目に剥離することを示す表示「▲１▼」が記載されている剥離紙３２ａのみを剥離し、テープ本体３０の第１貼付部３０１の粘着剤層３１を露出させ、足の内くるぶし下へ貼付する（図６（Ａ））。
【００５２】
次に、２番目に剥離することを示す表示「▲２▼」記載されている剥離紙３２ｂのみを剥離し、テープ本体３０の第２貼付部３０２の粘着剤層３１を露出させる。そして、剥離紙３２ｃが設けられたままの第３貼付部３０３をつかんで引っ張ることで、第２貼付部３０２を伸張させながら、踵を通し、更に外くるぶしを通して貼付する。
【００５３】
最後に、３番目に剥離することを示す表示「▲３▼」記載されている剥離紙３２ｃを剥離し、テープ本体３０の第３貼付部３０３の各貼付片３０３ａ、３０３ｂの粘着剤層３１をそれぞれ露出させ、それらを広げながら身体に押し当てるようにしてそれぞれ貼付する（図６（Ｂ））。
【００５４】
図７（Ａ）は、第４の実施形態に係る生体用粘着テープを剥離紙が設けられた裏面側から見た状態を示す平面図、図７（Ｂ）はその側面図であり、主として腰部に貼付することにより腰部の疲労を軽減するための腰用テープの一例を示している。
【００５５】
腰用テープ４は、テープ本体４０の裏面に粘着剤層４１を介して剥離紙４２が設けられている。テープ本体４０は、腰部へ貼付する順に、長さ方向の中央に位置する第１貼付部４０１と、この第１貼付部４０１に連続し且つ第１貼付部４０１を挟むように位置する第２貼付部４０２、４０３と、この第２貼付部４０２、４０３にそれぞれ連続する第３貼付部４０４、４０５とをそれぞれ有して左右対称の横長矩形状に形成されている。
【００５６】
剥離紙４２は、粘着剤層４１を介してテープ本体４０の裏面全面に貼着されている。そして、腰用テープ４には、この剥離紙４２が貼着された状態で、テープ本体４０、粘着剤層４１及び剥離紙４２とに亘って、第３貼付部４０４、４０５の各端部から、腰用テープ４の長さ方向に沿ってそれぞれ第２貼付部４０２、４０３の中途部にまで至る直線状の切込み４３、４３が設けられている。これにより腰用テープ４は、その第３貼付部４０４、４０５側がそれぞれ２つの貼付片４０４ａ、４０４ｂ、４０５ａ、４０５ｂに分かれている。
【００５７】
また、剥離紙４２は、第１貼付部４０１とその両端に連続する各第２貼付部４０２、４０３との境界及び各第２貼付部４０２、４０３とそれに連続する各第３貼付部４０４、４０５との境界に沿って、それぞれ切線４４、４４、４４、４４が設けられており、テープ本体４０の第１貼付部４０１、第２貼付部４０２、４０３及び第３貼付部４０４、４０５の各貼付部において各々独立した剥離紙４２ａ、４２ｂ、４２ｃ、４２ｄ、４２ｅ、４２ｆ、４２ｇとして剥離可能に区分されている。これら切線４４、４４、４４、４４は、剥離紙４２のみを分断するものであり、テープ本体４０を分断しない。
【００５８】
そして、この区分された各剥離紙４２ａ、４２ｂ、４２ｃ、４２ｄ、４２ｅ、４２ｆ、４２ｇの表面（粘着剤層４１と接しない側の面）に、テープ本体４０を身体に貼付する際の手順を示す表示４５が設けられている。この表示４５も、剥離の順番を示す「▲１▼」「▲２▼」・・・の数字からなるものを示している。
【００５９】
なお、図７（Ａ）に示す腰用テープ４の寸法の一例について示すと、ａ：７５ｍｍ、ｂ：３０ｍｍ、ｃ：１５０ｍｍ、ｄ：５０ｍｍ、ｅ：３７．５ｍｍ、ｆ：７５ｍｍである。
【００６０】
次に、この腰用テープ４の貼付方法について図８を参照しつつ説明する。
【００６１】
まず、１番目に剥離することを示す表示「▲１▼」が記載されている剥離紙４２ａのみを剥離し、テープ本体４０の第１貼付部４０１の粘着剤層４１を露出させ、腰の中央（背骨）へ仮貼りする。
【００６２】
次いで、２番目に剥離することを示す表示「▲２▼」が記載されている剥離紙４２ｂ、４２ｃのみを剥離し、テープ本体４０の第２貼付部４０２、４０３の粘着剤層４１を露出させ、腰部へ仮貼りする。
【００６３】
次に、両端の第３貼付部４０４、４０５をしっかり持って、第１貼付部４０１及び第２貼付部４０２、４０３の仮貼りを剥がし、両端へ引っ張ることにより伸張させながら腰部へ本貼りする。このとき、切込み４３、４３によって分離されている各貼付片４０４ａ、４０４ｂ、４０５ａ、４０５ｂは、図８（Ａ）に示すように矢印方向へ引っ張って広げるようにして貼付する。
【００６４】
最後に、３番目に剥離することを示す表示「▲３▼」が記載されている各剥離紙４２ｄ、４２ｅ、４２ｆ、４２ｇを全て剥離し、テープ本体４０の第３貼付部４０４、４０５の粘着剤層４１を露出させ、それらを引っ張らずに身体に押し当てるようにして貼付する（図８（Ｂ））。
【００６５】
図９（Ａ）は、第５の実施形態に係る生体用粘着テープを剥離紙が設けられた裏面側から見た状態を示す平面図、図９（Ｂ）はその側面図であり、主として膝部に貼付することにより膝部の疲労を軽減するための膝用テープの一例を示している。
【００６６】
膝用テープ５は、テープ本体５０の裏面に粘着剤層５１を介して剥離紙５２が設けられている。テープ本体５０は、図中左端から膝部へ貼付する順に、最初に貼付する第１貼付部５０１と、この第１貼付部５０１に連続する第２貼付部５０２と、この第２貼付部５０２に連続する第３貼付部５０３とを有して横長矩形状に形成されている。
【００６７】
剥離紙５２は、粘着剤層５１を介してテープ本体５０の裏面全面に貼着されている。また、剥離紙５２は、第１貼付部５０１とそれに連続する第２貼付部５０２との境界及び第２貼付部５０２とそれに連続する第３貼付部５０３との境界に沿って、それぞれ切線５４、５４が設けられており、テープ本体５０の第１貼付部５０１、第２貼付部５０２及び第３貼付部５０３の各貼付部において各々独立した剥離紙５２ａ、５２ｂ、５２ｃ、５２ｄとして剥離可能に区分されている。これら切線５４、５４は、剥離紙５２のみを分断するものであり、テープ本体５０を分断しない。
【００６８】
そして、膝用テープ５には、この剥離紙５２が貼着された状態で、テープ本体５０、粘着剤層５１及び剥離紙５２とに亘って、第３貼付部５０３の端部から第２貼付部５０２における第１貼付部５０１との境界の切線５４の手前にまで至る一つの直線状の切込み５３が、膝用テープ５の長さ方向に沿って設けられている。これにより、第３貼付部５０３全体と第２貼付部５０２のほぼ全体とは、その長さ方向に沿って２つの貼付片５０３ａ、５０３ｂに分かれている。
【００６９】
そして、区分された各剥離紙５２ａ、５２ｂ、５２ｃ、５２ｄの表面（粘着剤層５１と接しない側の面）に、テープ本体５０を身体に貼付する際の手順を示す表示５５が設けられている。この表示５５も、剥離の順番を示す「▲１▼」「▲２▼」・・・の数字からなるものを示している。
【００７０】
なお、図９（Ａ）に示す膝用テープ５の寸法の一例について示すと、ａ：１００ｍｍ、ｂ：３０ｍｍ、ｃ：４２０ｍｍ、ｄ：５０ｍｍ、ｅ：５０ｍｍ、ｆ：４００ｍｍである。
【００７１】
次に、この膝用テープ５の貼付方法について図１０を参照しつつ説明する。
【００７２】
まず、膝を伸ばして真っ直ぐな状態としておき、１番目に剥離することを示す表示「▲１▼」が記載された剥離紙５２ａのみを剥離して、テープ本体５０の第１貼付部５０１の粘着剤層５１を露出させ、第３貼付部５０３側が上方となるようにして膝の少し下へ貼付する（図１０（Ａ））。
【００７３】
次いで、２番目に剥離することを示す表示「▲２▼」が記載されている剥離紙５２ｂのみを剥離し、テープ本体５０の第２貼付部５０２の粘着剤層５１を露出させる。この第２貼付部５０２は、それに連続する第３貼付部５０３と共に、２つの貼付片５０３ａ、５０３ｂに分離されているため、それぞれ剥離紙５２ｃ、５２ｄが設けられたままの各貼付片５０３ａ、５０３ｂをつかんで、そのうちの１本（貼付片５０３ａ）を膝の内側から、もう１本（貼付片５０３ｂ）を太ももの外側へ向かって少し強めに引っ張ることにより伸張させながら貼付する。このとき各貼付片５０３ａ、５０３ｂは太ももの外側で交差するように貼付される（図１０（Ｂ））。
【００７４】
最後に、３番目に剥離することを示す表示「▲３▼」が記載されている各剥離紙５２ｃ、５２ｄを剥がして、引っ張らずに身体に押し当てるようにして貼付する。
【００７５】
【発明の効果】
本発明によれば、剥離紙を剥離してテープ本体を身体に貼付する際に、貼付の手順がわかり易く且つ簡便に行うことのできる生体用粘着テープを提供することができる。
【図面の簡単な説明】
【図１】（Ａ）は、第１の実施形態に係る生体用粘着テープを剥離紙が設けられた裏面側から見た状態を示す平面図、（Ｂ）はその側面図
【図２】（Ａ）（Ｂ）は第１の実施形態に係る生体用粘着テープの貼付方法を示す図
【図３】（Ａ）は、第２の実施形態に係る生体用粘着テープを剥離紙が設けられた裏面側から見た状態を示す平面図、（Ｂ）はその側面図
【図４】（Ａ）は第２の実施形態に係る生体用粘着テープを肩部に貼付した状態を示す図、（Ｂ）は首部に貼付した状態を示す図
【図５】（Ａ）は、第３の実施形態に係る生体用粘着テープを剥離紙が設けられた裏面側から見た状態を示す平面図、（Ｂ）はその側面図
【図６】（Ａ）（Ｂ）は第３の実施形態に係る生体用粘着テープの貼付方法を示す図
【図７】（Ａ）は、第４の実施形態に係る生体用粘着テープを剥離紙が設けられた裏面側から見た状態を示す平面図、（Ｂ）はその側面図
【図８】（Ａ）（Ｂ）は第４の実施形態に係る生体用粘着テープの貼付方法を示す図
【図９】（Ａ）は、第５の実施形態に係る生体用粘着テープを剥離紙が設けられた裏面側から見た状態を示す平面図、（Ｂ）はその側面図
【図１０】（Ａ）（Ｂ）は第５の実施形態に係る生体用粘着テープの貼付方法を示す図
【符号の説明】
１：足裏用テープ（生体用粘着テープ）
２：首・肩用テープ（生体用粘着テープ）
３：足首用テープ（生体用粘着テープ）
４：腰用テープ（生体用粘着テープ）
５：膝用テープ（生体用粘着テープ）
１０、２０、３０、４０、５０：テープ本体
１１、２１、３１、４１、５１：粘着剤層
１２、２２、３２、４２、５２：剥離紙
１３、２３、３３、４３、５３：切込み
１４、２４、３４、４４、５４：切線
１５、２５、３５、４５、５５：表示
【図１】
2004248842.tif 000003
【図２】
2004248842.tif 000004
【図３】
2004248842.tif 000005
【図４】
2004248842.tif 000006
【図５】
2004248842.tif 000007
【図６】
2004248842.tif 000008
【図７】
2004248842.tif 000009
【図８】
2004248842.tif 000010
【図９】
2004248842.tif 000011
【図１０】
2004248842.tif 000012